(57)【要約】 【課題】  小型アンテナ及び放射妨害電波測定システムを提供すること。【解決手段】  誘電体により形成された基板と、基板の一方の面に形成された第１の連接体と、基板の他方の面に、第１の連接体に対して少なくとも一部が対峙するように形成された第２の連接体と、第１の連接体に対して一方向に延びるように基板の面上に平面状に形成された第１のエレメント体と、第２の連接体に対して他方向に延びるように基板の面上に平面状に形成された第２のエレメント体とを具備し、第１と第２のエレメント体とにより電磁波を受信するダイポールアンテナエレメントが構成され、かつ当該ダイポールアンテナエレメントには、インダクタンスを付加するインダクタンス素子が含まれる小型アンテナ、この小型アンテナを備えた放射妨害電波測定システムである。【選択図】図１
2015130599.tif 000002
【特許請求の範囲】
【請求項１】
誘電体により形成された基板と、
前記基板の一方の面に形成された第１の連接体と、
前記基板の他方の面に、前記第１の連接体に対して少なくとも一部が対峙するように形成された第２の連接体と、
前記第１の連接体に対して一方向に延びるように前記基板の面上に平面状に形成された第１のエレメント体と、
前記第２の連接体に対して他方向に延びるように前記基板の面上に平面状に形成された第２のエレメント体と、
を具備し、
前記第１と前記第２のエレメント体とにより電磁波を受信するダイポールアンテナエレメントが構成され、
かつ当該ダイポールアンテナエレメントには、インダクタンスを付加するインダクタンス素子が含まれる、
ことを特徴とする小型アンテナ。
【請求項２】
前記インダクタンス素子は、前記第１の連接体と前記第１のエレメント体との間と、前記第２の連接体と前記第２のエレメント体との間とにそれぞれ装荷される、
ことを特徴とする請求項１記載の小型アンテナ。
【請求項３】
前記インダクタンス素子は、前記第１のエレメント体を分け、これら分けられた各エレメント体の間に装荷され、かつ前記第２のエレメント体を分け、これら分けられた各エレメント体の間に装荷される、
ことを特徴とする請求項１記載の小型アンテナ。
【請求項４】
周波数帯域が異なる複数の前記ダイポールアンテナを配置することを特徴とする請求項１乃至３のうちいずれか１項記載の小型アンテナ。
【請求項５】
前記ダイポールアンテナを収容し、前記ダイポールアンテナに対する所要以外の方向からの外部電磁波を遮蔽する遮蔽収容体を有することを特徴とする請求項１乃至４のうちいずれか１項記載の小型アンテナ。
【請求項６】
被測定物から放射されるノイズを受信する請求項１乃至５のうちいずれか１項記載の小型アンテナと、
前記小型アンテナから出力されるノイズ信号を解析する解析装置と、
を具備することを特徴とする放射妨害電波測定システム。
【発明の詳細な説明】
【技術分野】
【０００１】
本発明の実施形態は、広帯域の小型アンテナ及びこの小型アンテナを用いた放射妨害電波（ＥＭＩ）測定システムに関する。
【背景技術】
【０００２】
被測定物から放射される妨害電波（以下、ノイズという）を測定する放射妨害電波測定（以下、放射ＥＭＩと称する）がある。この放射ＥＭＩでは、被測定物から放射されるノイズ（通常、３０ＭＨｚ〜１ＧＨｚの広周波数帯域のことをいうことが多い）を所定距離だけ離れた位置から測定するために、広周波数帯域（３０ＭＨｚ〜１ＧＨｚ）を受信可能なログペリオディックアンテナが用いられている。
【０００３】
このような放射ＥＭＩ測定は、放射ＥＭＩ測定システムを用いて行われたり、又は屋外において例えばノイズの放射箇所を特定するために行われている。放射ＥＭＩ測定システムは、電波暗室と、この電波暗室に隣接して設けられる試験室とを使用して行われる。この測定システムでは、電波暗室内に被測定物とログペリオディックアンテナとが設けられ、試験室内にスペクトラムアナライザが設けられる。被測定物は、電波暗室内に設けられた支持台上に載置される。ログペリオディックアンテナは、電波暗室内において被測定物に対峙して設けられる。なお、電波暗室内に被測定物、ログペリオディックアンテナ及びスペクトラムアナライザの全てを配置しないのは、スペクトラムアナライザ自体から放射されるノイズが被測定物から放射されるノイズの測定に影響を与えるからである。又、人体も当該人体から放射されるノイズも被測定物から放射されるノイズの測定に影響を与えるので、電波暗室内には、人体も測定中に立ち入らないようになっている。
【０００４】
このような測定システムによれば、ログペリオディックアンテナは、被測定物から放射されるノイズを受信してそのノイズ信号を出力する。このノイズ信号は、例えばケーブルを通してスペクトラムアナライザに送られる。このスペクトラムアナライザは、ノイズ信号を解析処理して例えばノイズ波形を表示出力する。
【０００５】
一方、屋外でノイズ測定を行う場合がある。この屋外のノイズ測定では、検査員がログペリオディックアンテナ等のアンテナを手に持って移動し、手に持ったアンテナを被測定物に向けてノイズ量を測定し、ノイズを放射している箇所を特定する。
【先行技術文献】
【特許文献】
【０００６】
【特許文献１】特開２００５−１６７９５０号公報
【発明の概要】
【発明が解決しようとする課題】
【０００７】
このような放射ＥＭＩでは、ログペリオディックアンテナ等のアンテナを小型化することにより、設置スペースを取らず、取り扱いも容易である。  
又、屋外でノイズ測定を行う場合には、検査員がログペリオディックアンテナ等のアンテナを手に持ってノイズ量を測定するので、取り扱いの面からもアンテナを小型化することの要求がある。
【課題を解決するための手段】
【０００８】
実施形態によれば、誘電体により形成された基板と、前記基板の一方の面に形成された第１の連接体と、前記基板の他方の面に、前記第１の連接体に対して少なくとも一部が対峙するように形成された第２の連接体と、前記第１の連接体に対して一方向に延びるように前記基板の面上に平面状に形成された第１のエレメント体と、前記第２の連接体に対して他方向に延びるように前記基板の面上に平面状に形成された第２のエレメント体とを具備し、前記第１と前記第２のエレメント体とにより電磁波を受信するダイポールアンテナエレメントが構成され、かつ当該ダイポールアンテナエレメントには、インダクタンスを付加するインダクタンス素子が含まれる小型アンテナ、この小型アンテナを備えた放射妨害電波測定システムである。
【図面の簡単な説明】
【０００９】
【図１】第１の実施の形態の小型アンテナであるログペリオディックアンテナを示す構成図。
【図２】同ログペリオディックアンテナにおける各チップインダクタとエレメント体の接続関係を示す概念図。
【図３】同ログペリオディックアンテナに装荷されたチップインダクタのインダクタンスに対する利得と短縮率との関係を示す図。
【図４】同ログペリオディックアンテナにおける各ダイポールアンテナエレメント毎の反射特性を示す図。
【図５】第２の実施の形態であるログペリオディックアンテナを用いた放射ＥＭＩ測定システムを示す構成図。
【図６】第３の実施の形態のホーンガイド内に収容されるログペリオディックアンテナを示す構成図。
【図７】同ホーンガイドを取り付けたログペリオディックアンテナの利得分布を示す図。
【図８】第４の実施の形態の小型アンテナであるログペリオディックアンテナを示す構成図。
【発明を実施するための形態】
【００１０】
［第１の実施の形態］  
以下、第１の実施の形態について図面を参照して説明する。  
図１は小型アンテナであるログペリオディックアンテナ（対数周期型ダイポールアンテナ）１の構成図を示す。このログペリオディックアンテナ１は、基板２上に平面状に形成されたアンテナ本体３を有する。基板２は、誘電体により例えば四辺形の平板状に形成されている。なお、この基板２は、以下、誘電体基板２と称する。この誘電体基板２は、例えば図１に示す上側面を第１面（一方の面）２ａとし、下側面を第２面（他方の面）２ｂとする。
【００１１】
このアンテナ本体３は、誘電体基板２の第１面２ａ上に形成された平面状の第１のアンテナ３ａと、同誘電体基板２の第２面２ｂ上に形成された平面状の第２のアンテナ３ｂとを一体的にして成る。これら第１のアンテナ３ａと第２のアンテナ３ｂとは、誘電体基板２の第１面２ａと第２面２ｂとに、それぞれ絶縁された状態で例えば銅箔によりプリントされて形成されている。なお、図１では第１のアンテナ３ａを実線で示し、第２のアンテナ３ｂを破線等により示すべきであるが、ログペリオディックアンテナ１の全体を分かり易くするために第１のアンテナ３ａ及び第２のアンテナ３ｂを実線で示す。
【００１２】
第１のアンテナ３ａは、ログペリオディックアンテナ１の各ダイポールアンテナエレメントを構成するための各第１のエレメント体３ａ−１〜３ａ−８と、これら第１のエレメント体３ａ−１〜３ａ−８を接続するための線状の第１の連接体３ａ−９とを一体的に形成して成る。各第１のエレメント体３ａ−１〜３ａ−８は、互いに平行に設けられている。又、これら第１のエレメント体３ａ−１〜３ａ−８は、それぞれ第１の連接体３ａ−９を中心軸として左右側に交互で、かつ当該第１の連接体３ａ−９に対して垂直方向に形成されている。なお、第１の連接体３ａ−９の形成される方向をｘ軸方向、各第１のエレメント体３ａ−１〜３ａ−８の長手方向をｙ軸方向、ｘｙ軸方向に互いに垂直な方向をｚ軸方向とする。なお、これら第１のエレメント体３ａ−１〜３ａ−８と第１の連接体３ａ−９とは、ｘｙ平面上に、線状、或いは所定の幅を有する帯状に形成されてもよい。
【００１３】
第２のアンテナ３ｂは、上記第１のアンテナ３ａと同様に、ログペリオディックアンテナ１の各ダイポールアンテナエレメントを構成するための各第２のエレメント体３ｂ−１〜３ｂ−８と、これら第２のエレメント体３ｂ−１〜３ｂ−８を接続するための線状の第２の連接体３ｂ−９とを一体的に形成して成る。各第２のエレメント体３ｂ−１〜３ｂ−８は、互いに平行に設けられている。又、これら第２のエレメント体３ｂ−１〜３ｂ−８は、それぞれ第２の連接体３ｂ−９を中心軸として左右側に交互で、かつ第２の連接体３ｂ−９に対して垂直方向に形成されている。この第２のアンテナ３ｂでは、誘電体基板２を介して上記第２のアンテナ３ａと対向するように、第２の連接体３ｂ−９がｘ軸方向に形成され、各第２のエレメント体３ｂ−１〜３ｂ−８の長手方向がｙ軸方向に形成されている。なお、これら第２のエレメント体３ｂ−１〜３ｂ−８と第２の連接体３ｂ−９も、ｘｙ平面上に、線状、或いは所定の幅を有する帯状に形成してもよい。
【００１４】
第２の連接体３ｂ−９は、上記の通り誘電体基板２を介してｚ軸方向において上記第１の連接体３ａ−９と対向（対峙）する位置に形成されている。なお、これら第１の連接体３ａ−９と３ｂ−９とは、ｚ軸方向において一部が重なって対向するように形成されることが望ましい。又、第１の連接体３ａ−９と第２の連接体３ｂ−９とは、互いにｘｙ軸方向に離間しなければ、当該第１の連接体３ａ−９と第２の連接体３ｂ−９との各一辺が接する如く対向して形成されてもよい。
【００１５】
各第２のエレメント体３ｂ−１〜３ｂ−８は、それぞれ上記各第１のエレメント体３ａ−１〜３ａ−８の線状に配置される方向（ｙ軸方向）と同一線上で、かつ第２の連接体３ｂ−９から延びる方向が上記各第１のエレメント体３ａ−１〜３ａ−８の延びる方向の反対方向になっている。
【００１６】
このような第１のアンテナ３ａの各第１のエレメント体３ａ−１〜３ａ−８と、第２のアンテナ３ｂの各第２のエレメント体３ｂ−１〜３ｂ−８との各ｙ軸方向の配置によって各ダイポールアンテナエレメントが構成される。すなわち、第１のエレメント体３ａ−１と第２のエレメント体３ｂ−１とにより１本のダイポールアンテナエレメントが構成され、第１のエレメント体３ａ−２と第２のエレメント体３ｂ−２とによっても１本のダイポールアンテナエレメントが構成され、以下同様に、各第１のエレメント体３ａ−３、・・・、３ａ−８と各第２のエレメント体３ｂ−３、・・・、３ｂ−８とによりそれぞれ１本のダイポールアンテナエレメントが構成される。以下、１本のダイポールアンテナエレメント３ａ−１／３ｂ−１、同様に、各１本のダイポールアンテナエレメント３ａ−２／３ｂ−２、・・・、３ａ−８／３ｂ−８と称する。なお、これらダイポールアンテナエレメント３ａ−２／３ｂ−２、・・・、３ａ−８／３ｂ−８は、第１の連接体３ａ−９と第２の連接体３ｂ−９とに対して各第１のエレメント体３ａ−３、・・・、３ａ−８と各第２のエレメント体３ｂ−３、・・・、３ｂ−８とがそれぞれ個別に一方向、他方向に延びて各１本のダイポールアンテナを構成するものとなる。これによっても本ログペリオディックアンテナ１は、複数本のダイポールアンテナを配置するものとなる。
【００１７】
これらダイポールアンテナエレメント３ａ−１／３ｂ−１、・・・、３ａ−８／３ｂ−８の各１本の線路は、それぞれ共振周波数帯域が異なるので、広周波数帯域での電磁波の受信が可能になる。
【００１８】
このログペリオディックアンテナ１は、各ダイポールアンテナエレメント３ａ−１／３ｂ−１、・・・、３ａ−８／３ｂ−８を構成する各第１のエレメント体３ａ−１、３ａ−２、・・・、３ｂ−７、３ｂ−８の各線路の長さの２分の１の長さをＬｎとすると、これらダイポールアンテナエレメント３ａ−１／３ｂ−１、・・・、３ａ−８／３ｂ−８がそれぞれ２＊Ｌｎ（ｎ＝１，２，３，…）長に対応する共振周波数で動作し、電磁波を受信可能となる。
【００１９】
このログペリオディックアンテナ１は、最も効率良く電磁波を受信するために、対数周期比τと、比例間隔σとを以下に示す関係式（１）（２）に設定する。  
ここで、ダイポールアンテナエレメント３ａ−１／３ｂ−１、・・・、３ａ−８／３ｂ−８を構成する各第１のエレメント体３ａ−１〜３ａ−８、３ｂ−１〜３ｂ−８との各長さをＬｎ、各配置間隔をｂｎ、対数周期に従って短くなる各第１のエレメント体３ａ−１〜３ａ−８、３ｂ−１〜３ｂ−８との各長さＬｎの収束点をＢ、この収束点Ｂからの各第１のエレメント体３ａ−１〜３ａ−８、３ｂ−１〜３ｂ−８までの距離をＸｎとすると、
対数周期比τは、  
τ＝Ｌｎ／Ｌｎ＋１＝Ｘｎ／Ｘｎ＋１                    …（１）  
σ＝ｂｎ／２・Ｌｎ＝（Ｘｎ＋１−Ｘｎ）／２・Ｌｎ    …（２）  
になる。
【００２０】
又、このログペリオディックアンテナ１は、対数周期比τに従って各第１のエレメント体３ａ−１〜３ａ−８、各第２のエレメント体３ｂ−１〜３ｂ−８の長さＬｎが長くなる場合の広がり角度２αが設定される。この広がり角度２αは、各第１のエレメント体３ａ−１〜３ａ−８、各第２のエレメント体３ｂ−１〜３ｂ−８との各長さＬｎ、各配置間隔ｂｎに従って一意的に決定される。
【００２１】
このログペリオディックアンテナ１の接続部４には、集中定数インダクタンス素子としてのチップインダクタ５ａ、５ｂが装荷されている。図２（ａ）（ｂ）は同ログペリオディックアンテナ１における各チップインダクタ５ａ、５ｂと、各第１のエレメント体３ａ−１〜３ａ−８及び各第２のエレメント体３ｂ−１〜３ｂ−８との接続関係の概念図を示す。チップインダクタ５ａは、第１のエレメント体３ａ−８の接続部４の近傍に装荷され、チップインダクタ５ｂは、第２のエレメント体３ｂ−８の接続部４の近傍に装荷されている。具体的に、チップインダクタ５ａは、図２（ａ）に示すように第１のエレメント体３ａ−８と第１の連接体３ａ−９との間に装荷され、チップインダクタ５ｂは、第２のエレメント体３ｂ−８と第２の連接体３ｂ−９との間に装荷されている。
【００２２】
これらチップインダクタ５ａ、５ｂは、各第１のエレメント体３ａ−１〜３ａ−８、各第２のエレメント体３ｂ−１〜３ｂ−８の長さＬｎを短縮、すなわち共振周波数に対する各ダイポールアンテナエレメント３ａ−１／３ｂ−１、・・・、３ａ−８／３ｂ−８の長さ２＊Ｌｎを短縮し、ログペリオディックアンテナ１全体を小型化する。
【００２３】
なお、これらチップインダクタ５ａ、５ｂは、接続部４の近傍に限らず、例えば図２（ｂ）に示すように第１のエレメント体３ａ−８や第２のエレメント体３ｂ−８に装荷してもよい。すなわち、チップインダクタ５ａは、第１のエレメント体３ａ−８を２つに分け、これら分けられた各エレメント体を接続するように当該各エレメント体間に装荷する。又、チップインダクタ５ｂは、第２のエレメント体３ｂ−８を２つに分け、これら分けられた各エレメント体を接続するように当該エレメント体間に装荷する。なお、第１の連接体３ａ−９と、２つに分けられた一方の第１のエレメント体とは接続される。又、第２の連接体３ｂ−９と、２つに分けられた一方の第２のエレメント体とも接続される。
【００２４】
なお、これらチップインダクタ５ａ、５ｂは、ダイポールアンテナエレメント３ａ−８／３ｂ−８全体の軸方向上の電流分布において電流値が大きくなる箇所に設けるのがよい。これらダイポールアンテナエレメント３ａ−８／３ｂ−８全体の軸方向上の電流分布は、当該ダイポールアンテナエレメント３ａ−８／３ｂ−８の軸方向の中央部における電流値が大きく、軸方向の両端側になるに従って電流値が小さくなる分布を示す。従って、チップインダクタ５ａ、５ｂを装荷する箇所は、ダイポールアンテナエレメント３ａ−８／３ｂ−８の軸方向の全体における中央部、すなわち接続部４の近傍が望ましい。
【００２５】
又、これらチップインダクタ５ａ、５ｂは、第１のエレメント体３ａ−８や第２のエレメント体３ｂ−８に限らず、別の第１のエレメント体３ａ−７、・・・、３ａ−１と、第２のエレメント体３ｂ−７、・・・、３ｂ−１とに装荷してもよい。特に、各チップインダクタ５ａ、５ｂは、利得の大きい第１のエレメント体３ａ−８と第２のエレメント体３ｂ−８、第１のエレメント体３ａ−７と第２のエレメント体３ｂ−７、さらには第１のエレメント体３ａ−６と第２のエレメント体３ｂ−６に装荷するのが有効である。
【００２６】
図３はチップインダクタ５ａ、５ｂのインダクタンスに対する利得と短縮率との関係を示す。利得は、ログペリオディックアンテナ１の利得を示す。短縮率は、ダイポールアンテナエレメント３ａ−１／３ａ−８、３ｂ−１／３ｂ−８の各長さ２＊Ｌｎの短縮率を示す。すなわち、短縮率は、通常のダイポールアンテナエレメントを構成する各第１のエレメント体３ａ−１〜３ａ−８、３ｂ−１〜３ｂ−８の各長さＬｎに対し、各チップインダクタ５ａ、５ｂを装荷することによる当該各第１のエレメント体３ａ−１〜３ａ−８、３ｂ−１〜３ｂ−８の各長さＬｎの短縮率を示す。従って、各チップインダクタ５ａ、５ｂを装荷することによりダイポールアンテナエレメント３ａ−１／３ａ−８、３ｂ−１／３ｂ−８の各長さ２＊Ｌｎを短くしても同一の利得を得ることができ、ログペリオディックアンテナ１の小型化が図れる。
【００２７】
これら利得と短縮率とは、例えば誘電体基板２に有する３つの誘電率ε１（＝３．３）、ε２（＝１０）、ε３（＝２０）に対して示す。利得はインダクタンスが小さい程大きくなり、短縮率はインダクタンスが大きい程大きくなる関係にある。このような関係から例えばログペリオディックアンテナ１の小型化を図るための各チップインダクタ５ａ、５ｂのインダクタンスを決定するようにすればよい。この場合、利得と短縮率との兼ね合いで、各チップインダクタ５ａ、５ｂのインダクタンスや、誘電率ε１、ε２、ε３を決定することが可能である。
【００２８】
なお、図４は周波数に対するダイポールアンテナエレメント３ａ−１／３ａ−８、３ｂ−１／３ｂ−８を構成する各第１のエレメント体３ａ−１〜３ａ−８、各第２のエレメント体３ｂ−１〜３ｂ−８毎の反射特性を示す。
【００２９】
このように第１の実施の形態によれば、ログペリオディックアンテナ１の接続部４の近傍に各チップインダクタ５ａ、５ｂを装荷する、すなわち各ダイポールアンテナエレメント３ａ−１／３ｂ−１、・・・、３ａ−８／３ｂ−８のうち利得の大きい例えば各ダイポールアンテナエレメント３ａ−８／３ｂ−８の接続部４の近傍にチップインダクタ５ａ、５ｂを装荷するので、これらダイポールアンテナエレメント３ａ−８／３ｂ−８の第１のエレメント３ａ−８と第２のエレメント３ｂ−８との路線の各長さＬｎを短縮し、ログペリオディックアンテナ１全体を小型化できる。
【００３０】
従って、ログペリオディックアンテナ１を小型化できることにより、設置スペースを取らず、取り扱いも容易になる。  
又、屋外でノイズ測定を行う場合には、小型化したログペリオディックアンテナ１を検査員が手に持ってそのノイズ量を測定できるので、ログペリオディックアンテナ１を電磁波を放射する箇所に向けることが容易かつ簡単な手操作で行うことができ、電磁波を放射する箇所を容易に特定することができる。
【００３１】
［第２の実施の形態］  
次に、第２の実施の形態について図面を参照して説明する。  
図５はログペリオディックアンテナ１を用いた放射ＥＭＩ測定システム１０の構成図を示す。この放射ＥＭＩ測定システム１０には、電波暗室１１と試験室１２とが設けられている。試験室１２は、電波暗室１１に隣接して設けられる。  
電波暗室１１内には、支持台１３が設けられ、この支持台１３上に被測定物１４が載置される。この電波暗室１１内には、図１に示すログペリオディックアンテナ１が設けられている。このログペリオディックアンテナ１は、被測定物１４に対峙して設けられる。
【００３２】
試験室１２内には、スペクトラムアナライザ１５が設けられる。このスペクトラムアナライザ１５は、ケーブル１６を介してログペリオディックアンテナ１に接続されている。ケーブル１６は、例えば同軸線路である。  
スペクトラムアナライザ１５は、ログペリオディックアンテナ１から出力されるノイズ信号を入力し、このノイズ信号を解析処理して例えばノイズ波形１７をディスプレイ１８に表示出力する。
【００３３】
このような測定システム１０によれば、ログペリオディックアンテナ１は、被測定物１４から放射されるノイズ（放射ノイズ）Ｎを受信してそのノイズ信号を出力する。このノイズ信号は、例えばケーブル１６を通してスペクトラムアナライザ１５に送られる。このスペクトラムアナライザ１５は、ノイズ信号を解析処理して例えばノイズ波形をディスプレイ１８に表示出力する。  
このように第２の実施の形態によれば、小型化したログペリオディックアンテナ１を放射ＥＭＩ測定システム１０の電波暗室１１内に設けるので、電波暗室１１内に設置スペースを取らず、取り扱いも容易である。ログペリオディックアンテナ１を被測定物１４に対峙して設けられる操作も容易にできる。
【００３４】
なお、放射ＥＭＩ測定システム１０には、ハンディタイプ（携帯型）のものがある。このハンディタイプの測定システム１０は、例えば、図１に示すログペリオディックアンテナ１と、当該ログペリオディックアンテナ１にケーブルを介して接続されたスペクトラムアナライザ１５とから成る。なお、スペクトラムアナライザ１５は、小型化された携帯可能のものが用いられる。  
このようなハンディタイプの測定システム１０は、試験室１２及び電波暗室１１を使用せず、屋外でのノイズ測定に使用するもので、検査員がログペリオディックアンテナ１及びスペクトラムアナライザ１５を携帯して移動し、手に持ったログペリオディックアンテナ１を被測定物に向けてノイズ量を測定し、ノイズを放射している箇所を特定する。
【００３５】
又、ハンディタイプの測定システム１０は、ログペリオディックアンテナ１と、当該ログペリオディックアンテナ１にケーブルを介して接続されたメモリとから成るのでもよい。このメモリは、ログペリオディックアンテナ１から出力されるノイズ信号を記憶する。このメモリは、ノイズ量の測定終了後、別途設けられたスペクトラムアナライザ１５に接続され、スペクトラムアナライザ１５によりノイズ信号が読み取られて解析処理される。
【００３６】
又、ハンディタイプの測定システム１０は、ログペリオディックアンテナ１と、当該ログペリオディックアンテナ１にケーブルを介して接続されたノイズ量表示器とから成るのでもよい。このノイズ量表示器は、ログペリオディックアンテナ１から出力されるノイズ信号を入力し、ノイズ量の強弱に応じた表示、例えばノイズ量の強弱に応じた数値を表示したり、又はノイズ量の強弱に応じたバー表示、グラフ化した表示を行う。
【００３７】
［第３の実施の形態］  
次に、第３の実施の形態について図面を参照して説明する。  
図６はホーンガイドに収容されるログペリオディックアンテナ１の構成図を示す。このログペリオディックアンテナ１は、遮蔽収容体としてホーンガイド２０内に収容されている。  
このホーンガイド２０は、当該ホーンガイド２０内に収容されたログペリオディックアンテナ１に対する所要以外の方向からの外部電磁波を遮蔽する。すなわち、このホーンガイド２０は、ログペリオディックアンテナ１に対する左右の両側と背面側とからの電磁波を遮蔽し、所要の方向である前方からだけの電磁波をログペリオディックアンテナ１により受信させるものとなっている。換言すれば、このホーンガイド２０は、ログペリオディックアンテナ１に対する左右両側及び背面側よりも、前方に対する電磁波の受信感度が相対的に高くなる。
【００３８】
このホーンガイド２０は、例えば発泡スチロールをホーン型の空間に形成し、当該ホーン型の空間である発泡スチロールのホーン内壁に例えばアルミニウム箔を貼り付けたものとなっている。なお、このホーンガイド２０の開口は、長方形状に形成されている。ログペリオディックアンテナ１は、当該ホーンガイド２０のホーン内壁により形成されるホーン型の空間内に配置される。
【００３９】
又、ホーンガイド２０は、例えば発泡スチロールをホーン型の四角錐状に形成し、この四角錐状の発泡スチロールの外壁に例えばアルミニウム箔を貼り付けてもよい。このホーンガイド２０では、ログペリオディックアンテナ１は、四角錐状の発泡スチロール内に埋め込められる。この発泡スチロール内へのログペリオディックアンテナ１の埋め込みは、四角錐状の発泡スチロールを２分割し、これら発泡スチロールの間にログペリオディックアンテナ１を挟み込んで閉じることにより形成される。  
なお、ホーンガイド２０は、開口が長方形状に形成されるものに限定されるものでなく、例えば朝顔状の多角形（ラッパ状）に形成してもよい。
【００４０】
又、このホーンガイド２０は、ログペリオディックアンテナ１に対する所要の方向以外からの外部電磁波の遮蔽を行うものであって、ログペリオディックアンテナ１の電磁波の受信に関与しない。従って、ログペリオディックアンテナ１から出力されるノイズ信号は、例えばケーブル１６を通してスペクトラムアナライザ１５に直接入力することができ、ログペリオディックアンテナ１から出力端に変換器等を接続する必要がない。
【００４１】
図７はホーンガイド２０を取り付けたときのログペリオディックアンテナ１の利得分布を示す。このログペリオディックアンテナ１の利得分布は、当該ログペリオディックアンテナ１の受信方向Ａ（ｘ軸方向）に大きくなり、背面側が受信方向Ａの利得と比べて大幅に小さくなり、上記受信方向Ａの感度が高いことが分かる。なお、ダイポールアンテナの利得分布と比較すると、ダイポールアンテナの利得は、当該ダイポールアンテナを中心としてその三次元の周囲に略均等に分布するので、ログペリオディックアンテナ１の利得分布は、受信方向Ａに高いことが顕著であり、かつ背面側の利得が小さいことも顕著である。
【００４２】
［第４の実施の形態］  
次に、第４の実施の形態について図面を参照して説明する。  
図８はログペリオディックアンテナ３０の構成図を示す。このログペリオディックアンテナ３０は、水平偏波と垂直偏波との両方を受信可能とする。具体的にログペリオディックアンテナ３０は、上記図１に示すログペリオディックアンテナ１と、このログペリオディックアンテナ１に対して垂直方向（ｚ軸方向）に設けられたログペリオディックアンテナ３１とから構成される。
【００４３】
ログペリオディックアンテナ３１は、上記ログペリオディックアンテナ１と同一構成であり、例えば四辺形の平板状に形成された誘電体基板３２上に平面状に形成されたアンテナ本体３３が形成されている。  
このアンテナ本体３３は、誘電体基板２の第１面上に形成された平面状の第１のアンテナ３３ａと、同誘電体基板２の第２面に形成された平面状の第２のアンテナ３３ｂとを一体的にして成る。これら第１のアンテナ３３ａと第２のアンテナ３３ｂとは、誘電体基板２の第１面と第２面とに、それぞれ絶縁された状態で例えば銅箔によりプリントされて形成されている。
【００４４】
第１のアンテナ３３ａは、ログペリオディックアンテナ３１の各ダイポールアンテナエレメントを構成するための各第１のエレメント体３３ａ−１〜３３ａ−８と、これら第１のエレメント体３３ａ−１〜３３ａ−８を接続するための線状の連接体とを一体的に形成して成る。なお、これら第１のエレメント体３３ａ−１〜３３ａ−８と第２のエレメント体３３ｂ−１〜３３ｂ−８との全ては、図示する煩雑化を避けるために省略してある。又、各第１のエレメント体３３ａ−１〜３３ａ−８を接続するための線状の連接体と、各第２のエレメント体３３ｂ−１〜３３ｂ−８を接続するための線状の連接体とも、図示する煩雑化を避けるために省略してある。  
各第１のエレメント体３３ａ−１〜３３ａ−８は、互いに平行に設けられ、かつそれぞれ連接体を中心軸として左右側に交互で、当該連接体に対して垂直方向に形成されている。
【００４５】
第２のアンテナ３３ｂは、上記第１のアンテナ３３ａと同様に、ログペリオディックアンテナ３１の各ダイポールアンテナエレメントを構成するための各第２のエレメント体３３ｂ−１〜３３ｂ−８と、これら第２のエレメント体３３ｂ−１〜３３ｂ−８を接続するための線状の連接体とを一体的に形成して成る。各第２のエレメント体３３ｂ−１〜３３ｂ−８は、互いに平行に設けられ、それぞれ連接体を中心軸として左右側に交互で、かつ連接体に対して垂直方向に形成されている。
【００４６】
この第２のアンテナ３３ｂでは、誘電体基板２を介して上記第２のアンテナ３３ａと対向するように、連接体がｘ軸方向に形成され、各第２のエレメント体３３ｂ−１〜３３ｂ−８の長手方向がｚ軸方向に形成されている。  
各第２のエレメント体３３ｂ−１〜３３ｂ−８は、それぞれ上記各第１のエレメント体３３ａ−１〜３３ａ−８の線状に配置される方向（ｚ軸方向）と同一線上で、かつ連接体から延びる方向が上記各第１のエレメント体３３ａ−１〜３３ａ−８の延びる方向の反対方向になっている。
【００４７】
このような第１のアンテナ３３ａの各第１のエレメント体３３ａ−１〜３３ａ−８と、第２のアンテナ３３ｂの各第２のエレメント体３３ｂ−１〜３３ｂ−８との各ｚ軸方向の配置によってそれぞれ共振周波数帯域が異なる各ダイポールアンテナエレメント３３ａ−２／３３ｂ−２、・・・、３３ａ−８／３３ｂ−８が構成される。  
このログペリオディックアンテナ３３は、最も効率良く電磁波を受信するために、上記同様に、対数周期比τと、比例間隔σとが上記関係式（１）（２）に設定される。
【００４８】
このログペリオディックアンテナ１の接続部４には、集中定数インダクタンス素子としてのチップインダクタ５ａ、５ｂが装荷されると共に、ログペリオディックアンテナ３０の接続部にも集中定数インダクタンス素子としてのチップインダクタ３４ａ、３４ｂが装荷されている。これらチップインダクタ３４ａ、３４ｂは、接続部に限らず、ログペリオディックアンテナ３０の第１のエレメント体３３ａ−８、３３ｂ−８の軸方向上や、第１のエレメント体３３ａ−７、３３ｂ−７等の軸方向上の所定の箇所に装荷してもよい。
【００４９】
これらチップインダクタ３４ａは、例えば上記図２（ａ）に示すように第１のエレメント体３３ａ−８と連接体との間に装荷され、チップインダクタ３４ｂは、第２のエレメント体３３ｂ−８と連接体との間に装荷されている。  
又、これらチップインダクタ３４ａ、３４ｂは、例えば図２（ｂ）に示すように第１のエレメント体３３ａ−８、３３ｂ−８に装荷してもよく、チップインダクタ３４ａは、第１のエレメント体３３ａ−８を２つに分け、これら分けられた各エレメント体を接続するように当該各エレメント体間に装荷する。又、チップインダクタ３４ｂは、第２のエレメント体３３ｂ−８を２つに分け、これら分けられた各エレメント体を接続するように当該エレメント体間に装荷してもよい。  
なお、これらチップインダクタ３４ａ、３４ｂは、ダイポールアンテナエレメント３３ａ−８／３３ｂ−８全体の軸方向上の電流分布において電流値が大きくなる箇所に設けるのがよい。
【００５０】
このようにログペリオディックアンテナ１、３０にそれぞれチップインダクタ５ａ、５ｂ、３４ａ、３４ｂを装荷するので、これらダイポールアンテナエレメント３ａ−１／３ｂ−１、・・・、３ａ−８／３ｂ−８、３３ａ−２／３３ｂ−２、・・・、３３ａ−８／３３ｂ−８の各１本毎の路線の各長さＬｎを短縮し、ログペリオディックアンテナ３０全体を小型化できる。
【００５１】
このようなログペリオディックアンテナ３０によれば、ログペリオディックアンテナ１と、このログペリオディックアンテナ１に対して垂直方向に設けられたログペリオディックアンテナ３１とから構成されるので、当該ログペリオディックアンテナ３０の小型化を図れると共に、例えば一方のログペリオディックアンテナ１によって電磁波の水平偏波を受信し、他方のログペリオディックアンテナ３１によって電磁波の垂直偏波を受信できる。  
なお、ログペリオディックアンテナ３１のみを設ければ、電磁波の垂直偏波のみを受信するようにすることができる。
【００５２】
又、ログペリオディックアンテナ３１によれば、当該ログペリオディックアンテナ３１の出力端子に選択回路を接続すれば、電磁波の水平偏波又は垂直偏波のいずれか一方又は両方を選択的に受信することができる。  
これらログペリオディックアンテナ１とログペリオディックアンテナ３１とは、互いに取り付け、取り外しを可能に構成すれば、電磁波の水平偏波又は垂直偏波のいずれか一方又は両方の受信に応じた対応が容易にできる。
【００５３】
このログペリオディックアンテナ３１は、上記図６と同様に、ホーンガイド２０内に収容してもよい。このホーンガイド２０を設けることによって当該ログペリオディックアンテナ３１も、左右の両側と背面側とからの電磁波が遮蔽され、所要の方向である前方からだけの電磁波を受信できるものとなる。すなわち、ログペリオディックアンテナ３１に対する左右両側及び背面側よりも、前方に対する電磁波の受信感度が相対的に高くなる。  
電磁波の水平偏波又は垂直偏波のいずれか一方又は両方を選択的に受信する場合でも、これら水平偏波又は垂直偏波のいずれか一方又は両方を受信するときの受信感度を高くすることができる。  
なお、図８ではログペリオディックアンテナ３１についてその全体を分かり易くするために実線と破線とを用いて示す。
【００５４】
［第５の実施の形態］  
次に、第５の実施の形態について図面を参照して説明する。  
上記ログペリオディックアンテナ１、３０は、複数本のダイポールアンテナエレメント３ａ−１／３ｂ−１、・・・、３ａ−８／３ｂ−８や、３３ａ−２／３３ｂ−２、・・・、３３ａ−８／３３ｂ−８によって構成されているが、１本のダイポールアンテナエレメント３ａ−８／３ｂ−８、又は３３ａ−８／３３ｂ−８等により構成してもよい。  
当該１本のダイポールアンテナエレメント３ａ−８／３ｂ−８、又は３３ａ−８／３３ｂ−８等は、単にダイポールアンテナ３ａ−８／３ｂ−８、又は３３ａ−８／３３ｂ−８と称してもよい。
【００５５】
このダイポールアンテナ３ａ−８／３ｂ−８、又は３３ａ−８／３３ｂ−８等には、上記同様に、チップインダクタ５ａ、５ｂが上記図２（ａ）（ｂ）に示すのと同様に装荷されている。  
このような１本のダイポールアンテナ３ａ−８／３ｂ−８、又は３３ａ−８／３３ｂ−８等にチップインダクタ５ａ、５ｂを装荷して構成すれば、当該ダイポールアンテナ３ａ−８／３ｂ−８、又は３３ａ−８／３３ｂ−８等を小型化できることは言うまでもない。
【００５６】
１本のダイポールアンテナ３ａ−８／３ｂ−８、又は３３ａ−８／３３ｂ−８等により構成する場合、当該ダイポールアンテナ軸方向の長さを設定することにより、当該長さに対応する電磁波の受信周波数帯域を決定することができる。
【００５７】
この１本のダイポールアンテナ３ａ−８／３ｂ−８、又は３３ａ−８／３３ｂ−８等により構成した場合でも、上記図６と同様に、当該１本のダイポールアンテナ３ａ−８／３ｂ−８、又は３３ａ−８／３３ｂ−８等を遮蔽収容体としてホーンガイド２０内に収容してもよい。このホーンガイド２０を設けることによって１本のダイポールアンテナ３ａ−８／３ｂ−８、又は３３ａ−８／３３ｂ−８も、当該１本のダイポールアンテナに対する左右の両側と、背面側の電磁波の受信感度を低下させ、前方に対する受信感度を高くすることができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１：ログペリオディックアンテナ、２：誘電体基板、３：アンテナ本体、２ａ：誘電体基板の第１面、２ｂ：誘電体基板の第２面、３ａ：第１のアンテナ、３ｂ：第２のアンテナ、３ａ−１〜３ａ−８：第１のエレメント体、３ａ−９：第１の連接体、３ｂ：第２のアンテナ、３ｂ−１〜３ｂ−８：第２のエレメント体、３ｂ−９：第２の連接体、３ａ−２，３ｂ−２，・・・，３ａ−８，３ｂ−８：ダイポールアンテナエレメント、４：接続部、５ａ，５ｂ：チップインダクタ、１０：放射ＥＭＩ測定システム、１１：電波暗室、１２：試験室、１３：支持台、１４：被測定物、１５：スペクトラムアナライザ、１６：ケーブル、１７：ノイズ波形、１８：ディスプレイ、２０：ホーンガイド、３０：ログペリオディックアンテナ、３１：ログペリオディックアンテナ、３２：基板、３３：アンテナ本体、３３ａ：第１のアンテナ、３３ｂ：第２のアンテナ、３３ａ−１〜３３ａ−８：第２のエレメント体、３３ｂ：第２のアンテナ、３３ｂ−１〜３３ｂ−８：第１のエレメント体、３３ａ−２，３３ｂ−２，・・・，３３ａ−８，３３ｂ−８：ダイポールアンテナエレメント。
【図１】
2015130599.tif 000003
【図２】
2015130599.tif 000004
【図３】
2015130599.tif 000005
【図６】
2015130599.tif 000006
【図７】
2015130599.tif 000007
【図８】
2015130599.tif 000008
【図４】
2015130599.tif 000009
【図５】
2015130599.tif 000010